(57)【要約】      （修正有）【課題】調理手順を動画で提供するサービスの更なる満足度の向上を図る情報処理システム、情報処理装置、情報処理方法、およびプログラムを提供する。【解決手段】情報処理システムの情報処理方法は、第１のユーザから、一又は複数の調理工程を含む調理手順を表す手順コンテンツの投稿を受け付けるステップと、第２のユーザから、キッチンを使用する要求を受け付けるステップと、前記要求に基づいて、前記キッチンの使用の際に認証を行うステップと、前記手順コンテンツと、前記認証の識別情報とを対応付けるステップとを含む。【選択図】図１
2019079353.tif 000002
【特許請求の範囲】
【請求項１】
キッチンの使用の際に認証をした結果に基づく認証の識別情報と、前記キッチンにおいてユーザが実演した調理に関連する情報であって、前記ユーザの操作に基づいて投稿された投稿情報とを対応付ける情報処理部を備える、情報処理システム。
【請求項２】
前記投稿情報は、一又は複数の調理工程を含む調理手順を表す手順コンテンツを生成する基となる情報であり、
前記情報処理部は、前記認証の識別情報と、前記手順コンテンツの識別情報とを対応付ける、
請求項１に記載の情報処理システム。
【請求項３】
前記ユーザが使用したキッチンと、当該キッチンの様子を撮像する撮像装置とを予め関連づけておき、
前記情報処理部は、前記認証の識別情報を介して、前記撮像装置が撮像した動画情報の識別情報と、前記手順コンテンツの識別情報とを対応付ける、
請求項２に記載の情報処理システム。
【請求項４】
前記キッチンを使用している前記ユーザのために前記手順コンテンツの識別情報に対応する手順コンテンツを表示する表示装置を更に備える、
請求項３に記載の情報処理システム。
【請求項５】
前記ユーザの要求に基づいて、前記動画情報を編集する編集部を更に備え、
前記情報処理部は、前記編集後の動画情報の識別情報と、前記手順コンテンツの識別情報とを対応付ける、
請求項３または４に記載の情報処理システム。
【請求項６】
前記情報処理部は、前記編集後の動画情報が投稿されたか否かを判定し、前記編集後の動画情報が投稿されていない場合に、前記ユーザに関連する端末装置に、前記編集後の動画コンテンツの投稿を促す情報を送信する、
請求項５に記載の情報処理システム。
【請求項７】
前記投稿情報は、一又は複数の調理工程を含む調理手順を実演した動画情報を生成する基となる情報であり、
前記情報処理部は、前記認証の識別情報と、前記動画情報の識別情報とを対応付ける、
請求項１に記載の情報処理システム。
【請求項８】
前記ユーザが使用したキッチンと、当該キッチンの様子を撮像する撮像装置とを予め関連づけておき、
前記情報処理部は、前記認証の識別情報と、前記撮像装置が撮像した動画情報の識別情報とを対応付ける、
請求項７に記載の情報処理システム。
【請求項９】
認証が成功した場合に、認証された前記ユーザが投稿した前記手順コンテンツを表示する表示装置を更に備え、
前記情報処理部は、前記認証の識別情報と、前記表示装置に表示させた前記手順コンテンツの識別情報と、前記ユーザが使用したキッチンに対応する前記撮像装置により撮像された動画情報に基づく前記動画情報の識別情報とを対応付ける、
請求項８に記載の情報処理システム。
【請求項１０】
前記ユーザの要求に基づいて、前記動画情報を編集する編集部を更に備え、
前記情報処理部は、前記編集後の動画情報の識別情報と、前記手順コンテンツの識別情報とを対応付ける、
請求項９に記載の情報処理システム。
【請求項１１】
前記情報処理部は、前記編集後の動画情報が投稿されたか否かを判定し、前記編集後の動画情報が投稿されていない場合に、前記ユーザに関連する端末装置に、前記編集後の動画情報の投稿を促す情報を送信する、
請求項１０に記載の情報処理システム。
【請求項１２】
前記認証された第１のユーザと前記投稿情報を投稿した第２のユーザとが同一人物であり、
前記情報処理部は、前記第２のユーザの投稿要求に基づいて、前記認証の識別情報に対応付けられた前記手順コンテンツに、前記動画情報を対応付ける、
請求項１または７に記載の情報処理システム。
【請求項１３】
前記認証された第１のユーザと前記投稿情報を投稿した第２のユーザとが異なる人物であり、
前記情報処理部は、前記第２のユーザの投稿要求に基づいて、前記認証の識別情報に対応付けられた前記手順コンテンツに、前記動画情報を対応付ける、
請求項１または７に記載の情報処理システム。
【請求項１４】
投稿情報を受信する受信部と、
キッチンの使用の際に認証をした結果に基づく認証の識別情報と、前記キッチンにおいてユーザが実演した調理に関連する情報であって、前記ユーザの操作に基づいて投稿された前記投稿情報とを対応付ける情報処理部と、
を備える、情報処理装置。
【請求項１５】
第１のユーザから、一又は複数の調理工程を含む調理手順を表す手順コンテンツの投稿を受け付けるステップと、
第２のユーザから、キッチンを使用する要求を受け付けるステップと、
前記要求に基づいて、前記キッチンの使用の際に認証を行うステップと、
前記手順コンテンツと、前記認証の識別情報とを対応付けるステップと
を含む情報処理方法。
【請求項１６】
コンピュータを、
キッチンの使用の際に認証をした結果に基づく認証の識別情報と、前記キッチンにおいてユーザが実演した調理に関連する情報であって、前記ユーザの操作に基づいて投稿された投稿情報とを対応付ける情報処理部
として機能させる、プログラム。
【請求項１７】
コンピュータに、
第１のユーザから、一又は複数の調理工程を含む調理手順を表す手順コンテンツの投稿を受け付けさせ、
第２のユーザから、キッチンを使用する要求を受け付けさせ、
前記要求に基づいて、前記キッチンの使用の際に認証させ、
前記手順コンテンツと、前記認証の識別情報とを対応付けさせる
処理を実行させる、プログラム。
【発明の詳細な説明】
【技術分野】
【０００１】
本発明は、情報処理システム、情報処理装置、情報処理方法、およびプログラムに関する。
【背景技術】
【０００２】
インターネットを介して、調理手順（レシピ）を動画で提供するサービスが知られている。例えば、特許文献１には、会員が料理本から選択した料理コード番号を入力すると、料理コード番号に対応する料理実演動画がインターネットを通じて会員の端末の画面に放映されるようにした料理実演動画提供システムが開示されている。
【先行技術文献】
【特許文献】
【０００３】
【特許文献１】特開２００３−２１９０６６号公報
【発明の概要】
【発明が解決しようとする課題】
【０００４】
レシピを動画で提供するサービスの更なる満足度の向上のために、多くのユーザに料理実演動画を投稿する機会が与えられることが望まれている。しかしながら、ユーザが普段使用している自宅に動画を撮影するための設備がない場合や、自宅のキッチンの様子を動画として投稿することを躊躇するユーザが多い場合がある。
【０００５】
本発明は、上記の点に鑑みてなされたものであり、調理手順を動画で提供するサービスの更なる満足度の向上を図ることができる情報処理システム、情報処理装置、情報処理方法、およびプログラムを提供することを目的の一つとする。
【課題を解決するための手段】
【０００６】
上記の課題を解決するため、本発明の一態様の情報処理システムは、キッチンの使用の際に認証をした結果に基づく認証の識別情報と、前記キッチンにおいてユーザが実演した調理に関連する情報であって、前記ユーザの操作に基づいて投稿された投稿情報とを対応付ける情報処理部を備える、情報処理システムである。
【０００７】
本発明の一態様は、投稿情報を受信する受信部と、キッチンの使用の際に認証をした結果に基づく認証の識別情報と、前記キッチンにおいてユーザが実演した調理に関連する情報であって、前記ユーザの操作に基づいて投稿された前記投稿情報とを対応付ける情報処理部と、を備える、情報処理装置である。
【０００８】
本発明の一態様は、第１のユーザから、一又は複数の調理工程を含む調理手順を表す手順コンテンツの投稿を受け付けるステップと、第２のユーザから、キッチンを使用する要求を受け付けるステップと、前記要求に基づいて、前記キッチンの使用の際に認証を行うステップと、前記手順コンテンツと、前記認証の識別情報とを対応付けるステップとを含む情報処理方法である。
【０００９】
本発明の一態様は、コンピュータを、キッチンの使用の際に認証をした結果に基づく認証の識別情報と、前記キッチンにおいてユーザが実演した調理に関連する情報であって、前記ユーザの操作に基づいて投稿された投稿情報とを対応付ける情報処理部として機能させる、プログラムである。
【００１０】
本発明の一形態は、コンピュータに、第１のユーザから、一又は複数の調理工程を含む調理手順を表す手順コンテンツの投稿を受け付けさせ、第２のユーザから、キッチンを使用する要求を受け付けさせ、前記要求に基づいて、前記キッチンの使用の際に認証させ、前記手順コンテンツと、前記認証の識別情報とを対応付けさせる処理を実行させる、プログラムである。
【００１１】
本発明の一形態は、コンピュータに、第１のユーザから、一又は複数の調理工程を含む調理手順を表す手順コンテンツの投稿を受け付けさせ、第２のユーザから、キッチンを使用する要求を受け付けさせ、前記要求に基づいて、前記キッチンの使用の際に認証させ、前記キッチンを含む範囲を撮像した動画情報を取得させ、前記手順コンテンツと、前記認証の識別情報と、前記動画情報に基づく動画コンテンツとを対応付けさせる処理を実行させる、プログラムである。
【発明の効果】
【００１２】
本発明の一態様によれば、調理手順を動画で提供するサービスの更なる満足度の向上を図ることができる。
【図面の簡単な説明】
【００１３】
【図１】第１実施形態の情報処理システムの一例を示すブロック図である。
【図２】キッチンスタジオの一例を示す概略図である。
【図３】サービス提供用サーバの一例を示すブロック図である。
【図４】予約データベースの一例を示す図である。
【図５】動画データベースの一例を示す図である。
【図６】レシピデータベースの一例を示す図である。
【図７】動画データベースの一例を示す図である。
【図８】コンテンツの関係の一例を示す図である。
【図９】ユーザ端末、サービス提供用サーバ、貸し出し端末、およびカメラ装置の処理の流れを示すシーケンス図である。
【図１０】ユーザ端末、ユーザ端末、サービス提供用サーバ、貸し出し端末、およびカメラ装置の他の処理の流れを示すシーケンス図である。
【発明を実施するための形態】
【００１４】
以下、本発明を適用した情報処理システム、情報処理装置、情報処理方法、およびプログラムを、図面を参照して説明する。
【００１５】
（実施形態の概要）
実施形態の情報処理システム１は、一又は複数の調理工程を含む調理手順を表すレシピコンテンツ、およびレシピを実演した様子を表す動画コンテンツを提供するサービス（以下、レシピ動画提供サービスと称することもある。）を実現する。情報処理システム１は、動画コンテンツの提供のために、キッチンスタジオと称される施設を利用して、動画情報を生成する。キッチンスタジオは、例えば、複数のキッチンを備えた施設である。情報処理システム１は、キッチンスタジオに来場したユーザを認証する。キッチンスタジオは、認証が成功したユーザに、キッチンを貸し出す。キッチンスタジオは、レシピコンテンツに含まれる調理工程をユーザに実演させる。情報処理システム１は、ユーザが料理をしている様子を撮像することで動画情報を生成する。そして、情報処理システム１は、生成した動画情報に基づいて動画コンテンツを生成し、レシピコンテンツと関連づけて動画コンテンツを提供するレシピ動画提供サービスを実現する。当該レシピ動画提供サービスを提供するため、情報処理システム１は、レシピコンテンツと、キッチンの使用を認証した結果に基づく認証情報と、動画コンテンツと、を対応づける。
【００１６】
（情報処理システム１の構成）
図１は、実施形態の情報処理システム１の一例を示すブロック図である。情報処理システム１は、例えば、ユーザ端末１００と、サービス提供用サーバ４００と、ストレージサーバ５００とを備える。情報処理システム１は、ユーザ端末１００と、サービス提供用サーバ４００とが、ネットワークＮＷに接続されている。ネットワークＮＷに接続される各装置は、ＮＩＣ（Network Interface Card）や無線通信モジュールなどの通信インターフェースを備えている（図１では不図示）。ネットワークＮＷは、例えば、無線基地局、Ｗｉ−Ｆｉアクセスポイント、通信回線、プロバイダ、インターネットなどを含む。
【００１７】
なお、これらの構成要素の全ての組み合わせが相互に通信可能である必要はなく、ネットワークＮＷは、一部にローカルなネットワークを含んでもよい。サービス提供用サーバ４００とストレージサーバ５００とは、一部または全部は、統合されて一つの装置とされてもよい。ストレージサーバ５００は、サービス提供用サーバ４００に通信可能に接続されているが、これに限定されず、ネットワークＮＷを介してサービス提供用サーバ４００に接続されていてよい。
【００１８】
ユーザ端末１００は、ユーザ（一般利用者）によって使用される装置である。ユーザ端末１００は、表示部および操作部などのユーザインタフェースを備える（不図示）。ユーザ端末１００は、例えば、スマートフォンなどの携帯電話、タブレット端末、パーソナルコンピュータなどのコンピュータ装置（通信装置）である。
【００１９】
ユーザ端末１００は、ウェブブラウザなどのＵＡ（User Agent）が起動し、所定の操作がなされることで、キッチンスタジオ用サーバ２００およびサービス提供用サーバ４００にＨＴＴＰ（Hypertext Transfer Protocol）リクエストを送信する。そして、ユーザ端末１００は、サービス提供用サーバ４００から返信されたウェブページに基づいてウェブ画面を生成し、表示部に表示させる。ウェブページは、例えば、ＨＴＭＬ（Hyper Text Markup Language）等のマークアップ言語で記述されたテキストデータや、スタイルシート、静止画像データ、動画データ、音声データなどを含むコンテンツである。なお、コンテンツを取得するための手段として、ウェブブラウザに代えて、コンテンツ閲覧サービス用のアプリケーションプログラムが使用されてもよい。
【００２０】
図２は、キッチンスタジオＫＳの一例を示す概略図である。キッチンスタジオＫＳに来場したユーザは、キッチンスタジオＫＳで貸し出している、貸し出し端末２０１を使用する。貸し出し端末２０１は、近距離無線通信インターフェース（不図示）を備える。近距離無線通信インターフェースは、例えば、Bluetooth（登録商標）規格に準拠した処理を行うことで、キッチンスタジオＫＳに設置されたカメラ装置２０２と通信してよい。キッチンスタジオＫＳは、例えば、複数のカメラ装置２０２Ａ、２０２Ｂおよび２０２Ｃと、キッチンＫＴＮとを備える。なお、カメラ装置２０２Ａ、２０２Ｂおよび２０２Ｃを区別しない場合、「カメラ装置２０２」と記載する。カメラ装置２０２は、近距離無線通信インターフェース（不図示）を備える。近距離無線通信インターフェースは、例えば、Bluetooth（登録商標）規格に準拠した処理を行うことで、貸し出し端末２０１と通信してよい。
【００２１】
カメラ装置２０２Ａ、２０２Ｂおよび２０２Ｃのそれぞれの撮像範囲は、キッチンＫＴＮにおいてユーザがレシピを実現する様子を撮像可能な範囲である。カメラ装置２０２Ａの撮像範囲は、例えば、キッチンＫＴＮにおけるシンクＡを含む範囲である。カメラ装置２０２Ｂの撮像範囲は、例えば、キッチンＫＴＮにおける作業スペースを含む範囲である。カメラ装置２０２Ｃの撮像範囲は、例えば、キッチンＫＴＮにおける加熱スペースを含む範囲である。
【００２２】
図３は、サービス提供用サーバ４００の一例を示すブロック図である。サービス提供用サーバ４００は、例えば、サービス提供側通信部４１０と、コンテンツ処理部４２０と、サービス提供側制御部４３０とを備える。これらの機能部は、例えばＣＰＵ等のプロセッサがプログラムメモリに格納されたプログラムを実行することにより実現される。また、これらの機能部のうち一部または全部は、ＬＳＩ、ＡＳＩＣ、またはＦＰＧＡ等のハードウェアにより実現されてもよいし、ソフトウェアとハードウェアが協働することで実現されてもよい。
【００２３】
サービス提供側通信部４１０は、ユーザ端末１００、貸し出し端末２０１、およびストレージサーバ５００との間で通信を行う通信インターフェースである。コンテンツ処理部４２０は、レシピコンテンツおよび動画コンテンツを管理する。サービス提供側制御部４３０は、サービス提供用サーバ４００およびストレージサーバ５００を統括的に制御する。
【００２４】
コンテンツ処理部４２０は、例えば、コンテンツ登録部４２２と、コンテンツ編集部４２４と、情報処理部４２６とを備える。コンテンツ登録部４２２は、レシピコンテンツ、および動画コンテンツを生成し、生成したレシピコンテンツおよび動画コンテンツをストレージサーバ５００に蓄積する。コンテンツ登録部４２２は、レシピコンテンツおよび動画コンテンツをストレージサーバ５００に記憶し、後述するデータベースを更新することで、レシピコンテンツおよび動画コンテンツを登録する。コンテンツ編集部４２４は、編集要求に基づいて、ストレージサーバ５００に記憶されたレシピコンテンツおよび動画コンテンツを編集する。情報処理部４２６は、後述するデータベースを更新する。
【００２５】
（データベースの概要）
以下、情報処理システム１において生成されるデータベースについて説明する。なお、情報処理システム１において、データベースがストレージサーバ５００に記憶されるものとして説明するが、これに限定されない。情報処理システム１において利用されるデータベースは、単一のデータベースサーバに蓄積されてよく、複数のデータベースサーバに分散されてもよい。
【００２６】
図４は、予約データベース５００Ａの一例を示す図である。予約データベース５００Ａは、サービス提供用サーバ４００により更新される。予約データベース５００Ａは、予約ＩＤと、予約日時情報と、ユーザＩＤと、レシピＩＤとが対応付けられた情報である。予約ＩＤは、予約を識別するための情報である。予約日時情報は、予約日時を表す情報である。ユーザＩＤは、キッチンスタジオＫＳを利用する予定があるユーザを識別するための情報である。ユーザＩＤは、サービス提供用サーバ４００が提供するサービスにおけるユーザＩＤと同じであるが、これに限定されない。予約データベース５００ＡにおけるユーザＩＤは、サービス提供用サーバ４００が提供するサービスにおけるユーザＩＤと関連付いていればよい。レシピＩＤは、レシピコンテンツに対応付けられた識別情報である。
【００２７】
なお、本実施形態においては、予約が成立した場合に、予約ＩＤを発行するが、これに限定されず、予約ＩＤを発行しなくてもよい。予約ＩＤを発行しない場合、例えば、ユーザＩＤのログインが成功した場合に、予約に際しての認証が完了したと判定してよい。さらに、予約ＩＤを発行しない場合、予約成立画面の印刷物の持参を条件として、キッチンスタジオＫＳの管理者が認証してよい。
【００２８】
図５は、動画データベース５００Ｂの一例を示す図である。動画データベース５００Ｂは、サービス提供用サーバ４００により更新される。動画データベース５００Ｂは、動画ＩＤと、撮影日時情報と、ユーザＩＤと、認証ＩＤと、レシピＩＤと、キッチンＩＤと、カメラＩＤとが対応付けられた情報である。動画ＩＤは、動画情報を識別するための情報である。撮影日時情報は、撮影日時を表す情報である。ユーザＩＤは、キッチンスタジオＫＳを利用したユーザを識別するための情報である。ユーザＩＤは、サービス提供用サーバ４００が提供するレシピ動画提供サービスにおけるユーザＩＤと同じであるが、これに限定されない。動画データベース５００ＢにおけるユーザＩＤは、サービス提供用サーバ４００が提供するレシピ動画提供サービスにおけるユーザＩＤと関連付いていればよい。認証ＩＤは、キッチンＫＴＮの使用を認証した結果に基づく認証情報の一例である。認証ＩＤは、ユーザ認証が成功する度に発行され、ユーザＩＤに対応付けられる。なお、本実施形態は、ユーザ認証を行うとするが、これに限定されず、ログインＩＤの認証をしてよく、さらには予約成立画面の印刷物の持参に基づく認証であってよい。レシピＩＤは、レシピコンテンツに対応付けられた識別情報である。キッチンＩＤは、キッチンＫＴＮを識別するための情報である。カメラＩＤは、動画情報を撮像したカメラ装置２０２を識別するための情報である。
【００２９】
図６は、レシピデータベース５００Ｃの一例を示す図である。レシピデータベース５００Ｃは、サービス提供用サーバ４００における情報処理部４２６により更新される。レシピデータベース５００Ｃは、レシピＩＤと、レシピを投稿したユーザを識別するためのユーザＩＤと、投稿済フラグとが対応付けられた情報である。投稿済フラグは、動画コンテンツがサービス提供用サーバ４００により登録されたか否かを表す情報である。投稿済フラグは、例えば、動画コンテンツがサービス提供用サーバ４００により登録されていない場合には「０」の値に設定され、動画コンテンツがサービス提供用サーバ４００により登録された場合には「１」の値に設定される。
【００３０】
図７は、動画データベース５００Ｄ−１および５００Ｄ−２の一例を示す図である。動画データベース５００Ｄ−１、および５００−２は、サービス提供用サーバ４００における情報処理部４２６により更新される。動画データベース５００Ｄ−１は、レシピＩＤと、動画コンテンツＩＤと、動画を投稿したユーザを識別するためのユーザＩＤと、認証ＩＤと、撮影日時情報と、カメラＩＤと、動画ＩＤと、投稿済みフラグとが対応付けられた情報である。動画データベース５００Ｄ−２は、編集動画コンテンツＩＤと、動画コンテンツＩＤと、投稿済フラグとが対応付けられた情報である。編集動画コンテンツＩＤは、動画コンテンツを編集した結果生成された編集動画コンテンツを識別するための情報である。投稿済フラグは、編集動画コンテンツがサービス提供用サーバ４００により登録されたか否かを表す情報である。
【００３１】
（コンテンツの概要）
以下、サービス提供用サーバ４００において管理されるコンテンツについて説明する。図８は、コンテンツの関係の一例を示す図である。レシピコンテンツは、動画コンテンツＡと、編集動画コンテンツＣＡ＃と、動画コンテンツＣＢと関連づけられている。レシピコンテンツは、ユーザＡが投稿したレシピに関するコンテンツである。動画情報ＭＡはカメラ装置２０２Ａにより撮像された動画であり、動画情報ＭＢはカメラ装置２０２Ｂにより撮像された動画であり、および動画情報ＭＣはカメラ装置２０２Ｃにより撮像された動画である。動画コンテンツＣＡは、レシピコンテンツを投稿したユーザＡと同一人のユーザＡが、キッチンスタジオＫＳでレシピを実演することで生成された動画情報ＭＡ、ＭＢ、およびＭＣを基にして生成されたコンテンツである。編集動画コンテンツＣＡ＃は、後述する編集処理により動画コンテンツＣＡが編集された結果生成された動画コンテンツである。動画コンテンツＣＢは、ユーザＡとは同一人ではないユーザＢが、キッチンスタジオＫＳでレシピを実演することで生成された動画情報ＭＡ、ＭＢ、およびＭＣを基にして生成されたコンテンツである。
【００３２】
（情報処理システムの処理の流れ（１））
以下、上述した情報処理システム１の処理の流れについて説明する。図９は、ユーザ端末１００、サービス提供用サーバ４００、貸し出し端末２０１、およびカメラ装置２０２の処理の流れを示すシーケンス図である。なお、本シーケンスは、キッチンスタジオＫＳにおいて貸し出し端末２０１を使用してログインを行う例について説明するが、貸し出し端末２０１に代えて、ユーザ端末１００を使用してサービス提供用サーバ４００にログインをさせてもよい。
【００３３】
ユーザ端末１００は、ユーザの操作に基づいて、レシピ投稿要求Ｓ１００をサービス提供用サーバ４００に送信する。レシピ投稿要求Ｓ１００には、例えば、一又は複数の調理工程が含まれている。サービス提供用サーバ４００は、レシピ投稿要求Ｓ１００を受信した場合、レシピコンテンツを生成し、生成したレシピコンテンツを登録する（ステップＳＴ１００）。これにより、サービス提供用サーバ４００は、当該レシピコンテンツを、他のユーザ端末１００からの要求に応じて閲覧可能にするサービスを提供することができる。
【００３４】
次に、ユーザ端末１００は、レシピコンテンツを投稿したユーザと同一人のユーザの操作に基づいて、予約要求Ｓ１０２をサービス提供用サーバ４００に送信する。予約要求Ｓ１０２には、例えば、ユーザＩＤ、レシピＩＤ、および予約日時情報が含まれている。サービス提供用サーバ４００は、予約登録を行う（ステップＳＴ１０２）。サービス提供用サーバ４００は、例えば、予約日時において空いているキッチンＫＴＮを検索し、キッチンＫＴＮが検索された場合に、予約データベース５００Ａに予約ＩＤ、予約日時情報、ユーザＩＤ、およびレシピＩＤを登録する。
【００３５】
次に、サービス提供用サーバ４００は、キッチンスタジオＫＳにユーザが来場した場合に、ログイン処理を行う（ステップＳＴ１０４）。貸し出し端末２０１は、サービス提供用サーバ４００にログイン要求Ｓ１０３を送信する。サービス提供用サーバ４００は、例えば、ログイン時に、ユーザＩＤの入力操作を促すメッセージを貸し出し端末２０１に表示させる。その後、サービス提供用サーバ４００は、入力されたユーザＩＤが、キッチンＫＴＮのキッチンＩＤに対応付けて記憶されているか否かを判定する。サービス提供用サーバ４００は、入力されたユーザＩＤが記憶されている場合、ログインが成功したと判定する。サービス提供用サーバ４００は、入力されたユーザＩＤが記憶されていない場合、ログインが失敗したと判定する。サービス提供用サーバ４００は、ログインが成功した場合、ユーザＩＤに対応付ける認証ＩＤを発行する。なお、ログインにユーザＩＤを使用する認証を説明したが、これに限らず、アプリケーションごとの認証ＩＤやパスワードを使用して認証してもよい。
【００３６】
サービス提供用サーバ４００は、レシピコンテンツＳ１０５を送信する。これにより、サービス提供用サーバ４００は、貸し出し端末２０１に、テキストを含むレシピコンテンツを表示させる。サービス提供用サーバ４００は、例えば、予約ＩＤに対応するレシピＩＤのレシピコンテンツを表示させてもよい。また、サービス提供用サーバ４００は、貸し出し端末２０１に対するユーザの操作に基づいて要求されたレシピコンテンツを表示させてもよい。
【００３７】
その後、貸し出し端末２０１は、カメラ装置２０２との間で無線通信接続（bluetooth接続）を確立する。そして、貸し出し端末２０１は、例えば、実演が終了した後、動画確認を行う（ステップＳＴ１０６）。貸し出し端末２０１は、動画確認処理として、カメラ装置２０２により撮像した動画情報をダウンロードして、ユーザの操作に従って、動画を表示させる。
【００３８】
貸し出し端末２０１は、ユーザの操作に基づいて、サービス提供用サーバ４００に仮投稿要求Ｓ１１０を送信する。この際、貸し出し端末２０１は、例えば、動画情報をアップロードまたは仮投稿するためのボタンを表示し、当該ボタンが操作された場合に、動画情報を仮投稿する。これにより、貸し出し端末２０１は、動画情報をサービス提供用サーバ４００にアップロードする。動画情報を仮投稿するとは、動画情報をサービス提供用サーバ４００にアップロードするが、他のユーザに閲覧させないことであって、動画を投稿したユーザの操作に基づいて編集を受付可能にすることである。なお、貸し出し端末２０１は、実演時に表示したレシピコンテンツのレシピＩＤを動画情報に紐付けて、仮投稿要求Ｓ１１０を送信してもよい。サービス提供用サーバ４００は、動画投稿要求Ｓ１１０を受信した場合、動画データベース５００Ｄ−１における投稿済みフラグの値を「１」に設定する。
【００３９】
サービス提供用サーバ４００は、レシピ−動画対応付け処理を行う（ステップＳＴ１０８）。サービス提供用サーバ４００は、レシピ−動画対応付け処理として、動画データベース５００Ｄ−１を更新する。サービス提供用サーバ４００は、レシピＩＤに動画コンテンツＩＤを対応付け、さらに、動画データベース３００Ｂに含まれているユーザＩＤ、認証ＩＤ、撮影日時、動画ＩＤ、カメラＩＤ、および投稿済みフラグを対応付ける。
【００４０】
貸し出し端末２０１は、ユーザの操作に基づいて、編集要求Ｓ１１２をサービス提供用サーバ４００に送信する。サービス提供用サーバ４００は、編集要求Ｓ１１２に基づいて動画コンテンツを編集する（ステップＳＴ１１０）。サービス提供用サーバ４００は、編集要求Ｓ１１２に編集内容が含まれている場合、当該編集内容に従って動画コンテンツを編集する。編集内容は、動画の拡大または縮小率の変更、動画の一部削除、再生速度の変更などである。
【００４１】
また、サービス提供用サーバ４００は、編集要求Ｓ１１２に編集内容が含まれていない場合、自動的に動画コンテンツを編集してもよい。サービス提供用サーバ４００は、動画情報を解析することで、動画の構図が切り替わるタイミングや、動画内の食材、調理器具、食器などの変化タイミングを認識する。サービス提供用サーバ４００は、認識した結果に基づいて、動画情報を、当該動画情報に対応付けられているレシピに含まれる工程のいずれかに分類する。サービス提供用サーバ４００は、認識結果に基づいて、動画情報を、例えば、「食材１を切るシーン」、「食材１と食材２を混ぜるシーン」、「混ぜた食材を加熱するシーン」等の調理工程に分類する。サービス提供用サーバ４００は、分類された動画情報ごとに、調理工程に対応する動画コンテンツを生成する。これにより、サービス提供用サーバ４００は、レシピコンテンツにおける調理工程に、動画コンテンツを割り当てることができる。
【００４２】
さらに、サービス提供用サーバ４００は、各調理工程に対応する動画情報を編集することで、動画コンテンツの全体の再生時間を調整してもよい。サービス提供用サーバ４００は、動画コンテンツの全体の再生時間を所定の時間に調整してよい。所定の時間とは、例えば、１分〜３分であるが、これに限定されず、サービス提供者が設定した任意の時間であってよい。さらに、サービス提供用サーバ４００は、各調理工程の重要度に基づいて各調理工程に対応する動画コンテンツの再生時間を調整してよい。
【００４３】
サービス提供用サーバ４００は、編集処理の後、動画データベース５００Ｄ−２を更新する。また、サービス提供用サーバ４００は、編集を終了する要求、または編集動画コンテンツを投稿する要求を受信した場合、動画データベース５００Ｄ−２における投稿済みフラグの値を「１」に設定する。
【００４４】
次に、サービス提供用サーバ４００は、編集された動画コンテンツのチェック処理を行う（ステップＳＴ１１２）。サービス提供用サーバ４００は、動画コンテンツのチェック処理として、例えば、所定の画像が含まれているか否かを判定する。所定の画像は、調理の実演動画に含まれていることが好ましくない画像である。所定の画像は、例えば、ユーザの顔や、犬、ねこなどのペットなどの動画である。サービス提供用サーバ４００は、所定の画像が含まれていると判定した場合には、動画コンテンツを非公開としてよく、当該動画部分の削除またはユーザに通知を行ってよい。
【００４５】
サービス提供用サーバ４００は、投稿されたレシピと関係のない調理が行われていないか否かを判定してもよい。サービス提供用サーバ４００は、例えば、レシピに記載された材料と同じ材料が使用されているか否かを判定することで、投稿されたレシピと関係のない調理が行われていないか否かを判定する。サービス提供用サーバ４００は、例えば、動画情報に含まれる画像認識結果と、レシピに記載された材料とを照合することで、レシピに記載された材料と同じ材料が使用されているか否かを判定する。サービス提供用サーバ４００は、投稿されたレシピと関係のない調理が行われていない場合、当該画像部分の削除またはユーザに通知を行う。
【００４６】
次に、サービス提供用サーバ４００は、動画コンテンツのチェック処理により、動画コンテンツを公開してよいという結果が得られた場合、動画コンテンツの提供を開始する（ステップＳＴ１１４）。すなわち、サービス提供用サーバ４００は、動画コンテンツの本投稿を行う。
【００４７】
なお、サービス提供用サーバ４００は、上述した処理に加えて、または上述した処理に代えて、以下の処理を行ってよい。
なお、実演後、カメラ装置２０２または貸し出し端末２０１は、動画情報をキッチンスタジオＫＳ内のパーソナルコンピュータ（ＰＣ）に転送してもよい。ＰＣは、例えば、貸し出し端末２０１より大きな画面の液晶ディスプレイにより動画を表示させ、ユーザの操作に基づいて、動画情報を編集処理する。そして、ＰＣは、編集後の動画情報について、サービス提供用サーバ４００に仮投稿要求Ｓ１１０を送信する。
サービス提供用サーバ４００は、動画コンテンツのチェック処理を行うことなく、仮投稿された動画コンテンツをそのまま公開し、後ほどチェック処理を行ってよい。サービス提供用サーバ４００は、動画コンテンツを公開してよいという結果が得られない場合、動画コンテンツの公開を取り消す。
サービス提供用サーバ４００は、キッチンＫＴＮを使用しているユーザのためにレシピコンテンツを提供して貸し出し端末２０１に表示させた場合、当該キッチンＫＴＮについてのユーザＩＤと、貸し出し端末２０１が表示しているレシピＩＤと、当該キッチンＫＴＮに対応するカメラ装置２０２により撮像された動画情報に基づく動画コンテンツＩＤとを対応付けてよい。
サービス提供用サーバ４００は、仮投稿要求Ｓ１１０が貸し出し端末２０１からサービス提供用サーバ４００に送信されない場合において、ログインの完了時刻からの経過時間が所定時間を経過した場合、動画コンテンツの投稿を催促してもよい。例えば、サービス提供用サーバ４００は、貸し出し端末２０１および／またはユーザ端末１００に、動画コンテンツの投稿を催促するメッセージを含むプッシュ通知を実行してよく、ユーザのメールアドレスに、動画コンテンツの投稿を催促するメッセージを含むメールデータを送信してよい。
【００４８】
（情報処理システムの処理の流れ（２））
図１０は、ユーザ端末１００Ａ、ユーザ端末１００Ｂ、サービス提供用サーバ４００、貸し出し端末２０１、およびカメラ装置２０２の処理の流れを示すシーケンス図である。サービス提供用サーバ４００は、レシピコンテンツを投稿したユーザＡとは異なるユーザＢの行動に基づいて動画コンテンツを登録し、登録した動画コンテンツを提供してよい。
【００４９】
ユーザ端末１００Ａは、ユーザＡの操作に基づいて、レシピ投稿要求Ｓ１００をサービス提供用サーバ４００に送信する。サービス提供用サーバ４００は、レシピ投稿要求Ｓ１００を受信した場合、レシピコンテンツを生成し、生成したレシピコンテンツを登録する（ステップＳＴ１００）。
【００５０】
次に、ユーザ端末１００Ｂは、レシピコンテンツを投稿したユーザＡと異なるユーザＢの操作に基づいて、予約要求Ｓ１０２＃をサービス提供用サーバ４００に送信する。予約要求Ｓ１０２＃には、例えば、ユーザＢのユーザＩＤ、ユーザＡが投稿したレシピコンテンツのレシピＩＤ、および予約日時情報が含まれている。サービス提供用サーバ４００は、予約登録を行う（ステップＳＴ１０２＃）。サービス提供用サーバ４００は、例えば、予約日時において空いているキッチンＫＴＮを検索し、キッチンＫＴＮが検索された場合に、予約データベース３００Ａに予約ＩＤ、予約日時情報、ユーザＢのユーザＩＤ、およびレシピＩＤを登録する。
【００５１】
次に、貸し出し端末２０１は、サービス提供用サーバ４００にログイン要求Ｓ１０３を送信する。サービス提供用サーバ４００は、キッチンスタジオＫＳにユーザＢが来場した場合に、ログイン処理を行う（ステップＳＴ１０４＃）。サービス提供用サーバ４００は、ログインが成功した場合、ユーザＩＤに対応付ける認証ＩＤを発行する。
【００５２】
サービス提供用サーバ４００は、レシピコンテンツＳ１０５を送信する。これにより、サービス提供用サーバ４００は、貸し出し端末２０１に、テキストを含むレシピコンテンツを表示させる。
【００５３】
その後、貸し出し端末２０１は、カメラ装置２０２との間で無線通信接続（bluetooth接続）を確立する。そして、貸し出し端末２０１は、例えば、実演が終了した後、動画確認を行う（ステップＳＴ１０６）。
【００５４】
貸し出し端末２０１は、ユーザＢの操作に基づいて、サービス提供用サーバ４００に仮投稿要求Ｓ１１０を送信する。これにより、貸し出し端末２０１は、動画情報をサービス提供用サーバ４００にアップロードする。サービス提供用サーバ４００は、レシピ−動画対応付け処理を行う（ステップＳＴ１０８）。
【００５５】
貸し出し端末２０１は、ユーザＢの操作に基づいて、編集要求Ｓ１１２をサービス提供用サーバ４００に送信する。サービス提供用サーバ４００は、編集要求Ｓ１１２に基づいて動画コンテンツを編集する（ステップＳＴ１１０）。
【００５６】
次に、サービス提供用サーバ４００は、編集された動画コンテンツのチェック処理を行う（ステップＳＴ１１２）。次に、サービス提供用サーバ４００は、動画コンテンツのチェック処理により、動画コンテンツを公開してよいという結果が得られた場合、動画コンテンツの提供を開始する（ステップＳＴ１１４）。すなわち、サービス提供用サーバ４００は、動画コンテンツの本投稿を行う。
【００５７】
（実施形態の効果）
以上説明した情報処理システム１によれば、認証ＩＤと、投稿されたコンテンツとを対応付けることができるので、キッチンスタジオＫＳを利用して簡単にコンテンツを投稿することができる。すなわち、ユーザが普段使用している自宅に動画を撮影するための設備がない場合や、自宅のキッチンの様子を動画として投稿することを躊躇するユーザが多い場合であっても、キッチンスタジオＫＳを利用して動画コンテンツを作成することができる。この結果、情報処理システム１によれば、ユーザに動画コンテンツを投稿することに対する抵抗感を抑制することができ、多くの動画コンテンツを投稿しようとする意欲を高くすることができる。この結果、情報処理システム１によれば、サービス提供用サーバ４００が提供するレシピ動画提供サービスの更なる満足度の向上を図ることができる。
【００５８】
また、情報処理システム１によれば、ユーザの投稿情報に基づいてレシピコンテンツを生成し、キッチンＫＴＮに備えられたカメラ装置２０２により撮像された情報に基づいて動画コンテンツを生成することで、レシピコンテンツと動画コンテンツとを対応付ける。そして、情報処理システム１は、ユーザ端末１００からの要求に基づいてレシピコンテンツ、および当該レシピコンテンツに対応する動画コンテンツを提供するレシピ動画提供サービスを提供することができる。
【００５９】
さらに、情報処理システム１によれば、キッチンＫＴＮを使用するために認証を行い、ユーザ認証された結果としての認証ＩＤに、認証されたユーザに関連するレシピＩＤまたは動画コンテンツＩＤを対応付けるので、認証ＩＤに対応する動画情報に基づいて動画コンテンツを生成することができる。
【００６０】
さらに、情報処理システム１によれば、カメラＩＤに、認証ＩＤ、レシピＩＤ、および動画コンテンツＩＤを対応付けるので、複数のカメラ装置２０２により撮像した動画情報を、認証ＩＤ、レシピＩＤ、および動画コンテンツＩＤのそれぞれに対応させることができる。この結果、情報処理システム１によれば、複数のカメラ装置２０２により撮像した複数の動画情報を基に動画コンテンツを生成することができ、動画コンテンツの品質を向上させることができる。
【００６１】
さらに、情報処理システム１によれば、キッチンＫＴＮを使用しているユーザのためにレシピコンテンツを表示した場合、当該キッチンＫＴＮについての認証ＩＤと、当該キッチンＫＴＮの付近に設置されたディスプレイ装置２０４が表示しているレシピコンテンツのレシピＩＤと、当該キッチンＫＴＮに対応するカメラ装置２０２により撮像された情報に基づく動画コンテンツＩＤとを対応付けることができる。この結果、情報処理システム１によれば、キッチンＫＴＮにおいてレシピコンテンツを表示させるだけで、簡単に、レシピコンテンツと動画コンテンツとを対応させることができる。
【００６２】
さらに、情報処理システム１によれば、レシピコンテンツを投稿したユーザと動画コンテンツとを投稿しようとするユーザとが同じ場合において、当該ユーザの操作に基づく投稿要求に基づいて、認証ＩＤに対応付けられたレシピコンテンツに、動画コンテンツを対応付けることができる。この結果、情報処理システム１は、レシピコンテンツを投稿したユーザ自身が動画コンテンツを投稿することができ、レシピコンテンツを投稿したユーザが実演した信頼性の高い動画コンテンツを提供することができる。また、情報処理システム１によれば、レシピコンテンツを投稿したユーザの満足度を向上させることができる。
【００６３】
さらに、情報処理システム１によれば、レシピコンテンツを投稿したユーザと動画コンテンツとを投稿しようとするユーザとが異なる場合において、動画コンテンツとを投稿しようとするユーザの投稿要求に基づいて、認証ＩＤに対応付けられたレシピコンテンツに、動画コンテンツを対応付けることができる。この結果、情報処理システム１によれば、レシピコンテンツを投稿していないが、レシピコンテンツを閲覧することで料理をしてみたいユーザに、動画コンテンツを投稿させることができる。この結果、情報処理システム１によれば、より多くの動画コンテンツを提供することができ、サービス提供用サーバ４００が提供するレシピ動画提供サービスの更なる満足度の向上を図ることができる。
【００６４】
さらに、情報処理システム１によれば、キッチンスタジオＫＳでレシピを実演したユーザに関連するユーザ端末１００に、動画コンテンツの投稿を促す情報を送信するので、より多くの動画コンテンツを提供することができる。
【００６５】
さらに、情報処理システム１によれば、キッチンスタジオＫＳでレシピを実演したユーザの要求に基づいて、動画コンテンツを編集することができるので、より品質の高い動画コンテンツを提供することができる。さらに、情報処理システム１によれば、キッチンスタジオＫＳでレシピを実演したユーザの満足度を向上させることができる。
【００６６】
なお、上述のユーザ端末１００、キッチンスタジオ用サーバ２００、および動画蓄積サーバ３００、サービス提供用サーバ４００、およびストレージサーバ５００の機能を実現するためのプログラムをコンピュータ読み取り可能な記録媒体に記録して、この記録媒体に記録されたプログラムをコンピュータシステムに読み込ませ、実行することによりユーザ端末１００、キッチンスタジオ用サーバ２００、および動画蓄積サーバ３００、サービス提供用サーバ４００、およびストレージサーバ５００としての処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。
【００６７】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。また、記録媒体には、当該プログラムを配信するために配信サーバからアクセス可能な内部または外部に設けられた記録媒体も含まれる。配信サーバの記録媒体に記憶されるプログラムのコードは、端末装置で実行可能な形式のプログラムのコードと異なるものでもよい。すなわち、配信サーバからダウンロードされて端末装置で実行可能な形でインストールができるものであれば、配信サーバで記憶される形式は問わない。なお、プログラムを複数に分割し、それぞれ異なるタイミングでダウンロードした後に端末装置で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムに既に記録されているプログラムとの組み合わせで実現できるもの、いわゆる差分ファイル（差分プログラム）であってもよい。
【００６８】
また、上述した実施形態におけるユーザ端末１００、キッチンスタジオ用サーバ２００、および動画蓄積サーバ３００、サービス提供用サーバ４００、およびストレージサーバ５００の一部、または全部を、ＬＳＩ（Large Scale Integration）等の集積回路として実現してもよい。ユーザ端末１００、キッチンスタジオ用サーバ２００、および動画蓄積サーバ３００、サービス提供用サーバ４００、およびストレージサーバ５００の各機能部は個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【００６９】
以上、図面を参照してこの発明の一実施形態について詳しく説明してきたが、具体的な構成は上述のものに限られることはなく、この発明の要旨を逸脱しない範囲内において様々な設計変更等をすることが可能である。また、本発明の一態様は、請求項に示した範囲で種々の変更が可能であり、異なる実施形態にそれぞれ開示された技術的手段を適宜組み合わせて得られる実施形態についても本発明の技術的範囲に含まれる。また、上記各実施形態や変形例に記載された要素であり、同様の効果を奏する要素同士を置換した構成も含まれる。
【００７０】
（付記）
以上の記載から本発明の複数の態様は例えば以下のように把握される。
【００７１】
（１）キッチンの使用の際にユーザ認証をした結果に基づく認証の識別情報と、前記キッチンにおいてユーザが実演した調理に関連する情報であって、前記ユーザの操作に基づいて投稿された投稿情報とを対応付ける情報処理部を備える、情報処理システム。
【００７２】
（２）前記投稿情報は、一又は複数の調理工程を含む調理手順を表す手順コンテンツを生成する基となる情報であり、前記情報処理部は、前記認証の識別情報と、前記手順コンテンツの識別情報とを対応付ける、（１）に記載の情報処理システム。
【００７３】
（３）前記ユーザが使用したキッチンと、当該キッチンの様子を撮像する撮像装置とを予め関連づけておき、前記情報処理部は、前記認証の識別情報を介して、前記撮像装置が撮像した動画情報の識別情報と、前記手順コンテンツの識別情報とを対応付ける、（２）に記載の情報処理システム。
【００７４】
（４）前記キッチンを使用している前記ユーザのために前記手順コンテンツの識別情報に対応する手順コンテンツを表示する表示装置を更に備える、（３）に記載の情報処理システム。
【００７５】
（５）前記ユーザの要求に基づいて、前記動画コンテンツを編集する編集部を更に備え、
前記情報処理部は、前記編集後の動画コンテンツの識別情報と、前記手順コンテンツの識別情報とを対応付ける、（３）または（４）に記載の情報処理システム。
【００７６】
（６）前記情報処理部は、前記編集後の動画情報が投稿されたか否かを判定し、前記編集後の動画情報が投稿されていない場合に、前記ユーザに関連する端末装置に、前記編集後の動画コンテンツの投稿を促す情報を送信する、（５）に記載の情報処理システム。
【００７７】
（７）前記投稿情報は、一又は複数の調理工程を含む調理手順を実演した動画コンテンツを生成する基となる情報であり、前記情報処理部は、前記認証の識別情報と、前記動画コンテンツの識別情報とを対応付ける、（１）のうちいずれか１つに記載の情報処理システム。
【００７８】
（８）前記ユーザが使用したキッチンと、当該キッチンの様子を撮像する撮像装置とを予め関連づけておき、前記情報処理部は、前記認証の識別情報と、前記撮像装置が撮像した動画情報の識別情報とを対応付ける、（７）に記載の情報処理システム。
【００７９】
（９）ユーザ認証が成功した場合に、認証された前記ユーザが投稿した前記手順コンテンツを表示する表示装置を更に備え、前記情報処理部は、前記認証の識別情報と、前記表示装置に表示させた前記手順コンテンツの識別情報と、前記ユーザが使用したキッチンに対応する前記撮像装置により撮像された動画情報に基づく前記動画情報の識別情報とを対応付ける、（８）に記載の情報処理システム。
【００８０】
（１０）前記ユーザの要求に基づいて、前記動画コンテンツを編集する編集部を更に備え、前記情報処理部は、前記編集後の動画情報の識別情報と、前記手順コンテンツの識別情報とを対応付ける、（９）に記載の情報処理システム。
【００８１】
（１１）前記情報処理部は、前記編集後の動画情報が投稿されたか否かを判定し、前記編集後の動画情報が投稿されていない場合に、前記ユーザに関連する端末装置に、前記編集後の動画情報の投稿を促す情報を送信する、（１０）に記載の情報処理システム。
【００８２】
（１２）前記認証された第１のユーザと前記投稿情報を投稿した第２のユーザとが同一人物であり、前記情報処理部は、前記第２のユーザの投稿要求に基づいて、前記認証の識別情報に対応付けられた前記手順コンテンツに、前記動画情報を対応付ける、（１）または（７）に記載の情報処理システム。
【００８３】
（１３）前記認証された第１のユーザと前記投稿情報を投稿した第２のユーザとが異なる人物であり、前記情報処理部は、前記第２のユーザの投稿要求に基づいて、前記ユーザ認証の識別情報に対応付けられた前記手順コンテンツに、前記動画コンテンツを対応付ける、（１）または（７）に記載の情報処理システム。
【００８４】
（１４）投稿情報を受信する受信部と、キッチンの使用の際に認証をした結果に基づく認証の識別情報と、前記キッチンにおいてユーザが実演した調理に関連する情報であって、前記ユーザの操作に基づいて投稿された前記投稿情報とを対応付ける情報処理部と、を備える、情報処理装置。
【００８５】
（１５）第１のユーザから、一又は複数の調理工程を含む調理手順を表す手順コンテンツの投稿を受け付けるステップと、第２のユーザから、キッチンを使用する要求を受け付けるステップと、前記要求に基づいて、前記キッチンの使用の際に認証を行うステップと、前記手順コンテンツと、前記認証の識別情報とを対応付けるステップとを含む情報処理方法。
【００８６】
（１６）コンピュータを、キッチンの使用の際に認証をした結果に基づく認証の識別情報と、前記キッチンにおいてユーザが実演した調理に関連する情報であって、前記ユーザの操作に基づいて投稿された投稿情報とを対応付ける情報処理部として機能させる、プログラム。
【００８７】
（１７）コンピュータに、第１のユーザから、一又は複数の調理工程を含む調理手順を表す手順コンテンツの投稿を受け付けさせ、第２のユーザから、キッチンを使用する要求を受け付けさせ、前記要求に基づいて、前記キッチンの使用の際に認証させ、前記手順コンテンツと、前記認証の識別情報とを対応付けさせる処理を実行させる、プログラム。
【符号の説明】
【００８８】
１００…ユーザ端末、２００…キッチンスタジオ用サーバ、２０２…カメラ装置、２０４…ディスプレイ装置、２１０…ユーザ認証部、２１２…キッチンスタジオ側通信部、２１４…表示制御部、２１６…キッチンスタジオ側制御部、３００…動画蓄積サーバ、３００Ａ…予約データベース、３００Ｂ…動画データベース、４００…サービス提供用サーバ、４１０…サービス提供側通信部、４２０…コンテンツ処理部、４２２…コンテンツ登録部、４２４…コンテンツ編集部、４２６…情報処理部、４３０…サービス提供側制御部、５００…ストレージサーバ、５００Ａ…レシピデータベース、５００Ｂ−１、５００Ｂ−２…動画データベース、ＫＳ…キッチンスタジオ、ＫＴＮ…キッチン、ＮＷ…ネットワーク
【図１】
2019079353.tif 000003
【図２】
2019079353.tif 000004
【図３】
2019079353.tif 000005
【図４】
2019079353.tif 000006
【図５】
2019079353.tif 000007
【図６】
2019079353.tif 000008
【図７】
2019079353.tif 000009
【図８】
2019079353.tif 000010
【図９】
2019079353.tif 000011
【図１０】
2019079353.tif 000012
【手続補正書】
【提出日】平成29年12月20日(2017.12.20)
【手続補正１】
【補正対象書類名】特許請求の範囲
【補正対象項目名】全文
【補正方法】変更
【補正の内容】
【特許請求の範囲】
【請求項１】
キッチンの使用の際に前記キッチンにおいて調理を実演するユーザに対して認証をした結果に基づく認証の識別情報と、前記キッチンにおいてユーザが実演した調理に関連する情報であって、前記ユーザの操作に基づいて投稿された投稿情報とを対応付ける情報処理部を備える、情報処理システム。
【請求項２】
前記投稿情報は、一又は複数の調理工程を含む調理手順を表す手順コンテンツを生成する基となる情報であり、
前記情報処理部は、前記認証の識別情報と、前記手順コンテンツの識別情報とを対応付ける、
請求項１に記載の情報処理システム。
【請求項３】
前記ユーザが使用したキッチンと、当該キッチンの様子を撮像する撮像装置とを予め関連づけておき、
前記情報処理部は、前記認証の識別情報を介して、前記撮像装置が撮像した動画情報の識別情報と、前記手順コンテンツの識別情報とを対応付ける、
請求項２に記載の情報処理システム。
【請求項４】
前記キッチンを使用している前記ユーザのために前記手順コンテンツの識別情報に対応する手順コンテンツを表示する表示装置を更に備える、
請求項３に記載の情報処理システム。
【請求項５】
前記ユーザの要求に基づいて、前記動画情報を編集する編集部を更に備え、
前記情報処理部は、前記編集後の動画情報の識別情報と、前記手順コンテンツの識別情報とを対応付ける、
請求項３または４に記載の情報処理システム。
【請求項６】
前記情報処理部は、前記編集後の動画情報が投稿されたか否かを判定し、前記編集後の動画情報が投稿されていない場合に、前記ユーザに関連する端末装置に、前記編集後の動画コンテンツの投稿を促す情報を送信する、
請求項５に記載の情報処理システム。
【請求項７】
前記投稿情報は、一又は複数の調理工程を含む調理手順を実演した動画情報を生成する基となる情報であり、
前記情報処理部は、前記認証の識別情報と、前記動画情報の識別情報とを対応付ける、
請求項１に記載の情報処理システム。
【請求項８】
前記ユーザが使用したキッチンと、当該キッチンの様子を撮像する撮像装置とを予め関連づけておき、
前記情報処理部は、前記認証の識別情報と、前記撮像装置が撮像した動画情報の識別情報とを対応付ける、
請求項７に記載の情報処理システム。
【請求項９】
認証が成功した場合に、認証された前記ユーザが投稿した前記手順コンテンツを表示する表示装置を更に備え、
前記情報処理部は、前記認証の識別情報と、前記表示装置に表示させた前記手順コンテンツの識別情報と、前記ユーザが使用したキッチンに対応する前記撮像装置により撮像された動画情報に基づく前記動画情報の識別情報とを対応付ける、
請求項８に記載の情報処理システム。
【請求項１０】
前記ユーザの要求に基づいて、前記動画情報を編集する編集部を更に備え、
前記情報処理部は、前記編集後の動画情報の識別情報と、前記手順コンテンツの識別情報とを対応付ける、
請求項９に記載の情報処理システム。
【請求項１１】
前記情報処理部は、前記編集後の動画情報が投稿されたか否かを判定し、前記編集後の動画情報が投稿されていない場合に、前記ユーザに関連する端末装置に、前記編集後の動画情報の投稿を促す情報を送信する、
請求項１０に記載の情報処理システム。
【請求項１２】
前記認証された前記ユーザと前記投稿情報を投稿したユーザとが同一人物であり、
前記情報処理部は、前記投稿情報を投稿したユーザの投稿要求に基づいて、前記認証の識別情報に対応付けられた前記手順コンテンツに、前記動画情報を対応付ける、
請求項１または７に記載の情報処理システム。
【請求項１３】
前記認証された前記のユーザと前記投稿情報を投稿したユーザとが異なる人物であり、
前記情報処理部は、前記投稿情報を投稿したユーザの投稿要求に基づいて、前記認証の識別情報に対応付けられた前記手順コンテンツに、前記動画情報を対応付ける、
請求項１または７に記載の情報処理システム。
【請求項１４】
投稿情報を受信する受信部と、
キッチンの使用の際に前記キッチンにおいて調理を実演するユーザに対して認証をした結果に基づく認証の識別情報と、前記キッチンにおいてユーザが実演した調理に関連する情報であって、前記ユーザの操作に基づいて投稿された前記投稿情報とを対応付ける情報処理部と、
を備える、情報処理装置。
【請求項１５】
第１のユーザから、一又は複数の調理工程を含む調理手順を表す手順コンテンツの投稿を受け付けるステップと、
第２のユーザから、キッチンを使用する要求を受け付けるステップと、
前記要求に基づいて、前記キッチンの使用の際に認証を行うステップと、
前記手順コンテンツと、前記認証の識別情報とを対応付けるステップと
を含む情報処理方法。
【請求項１６】
コンピュータを、
キッチンの使用の際に前記キッチンにおいて調理を実演するユーザに対して認証をした結果に基づく認証の識別情報と、前記キッチンにおいてユーザが実演した調理に関連する情報であって、前記ユーザの操作に基づいて投稿された投稿情報とを対応付ける情報処理部
として機能させる、プログラム。
【請求項１７】
コンピュータに、
第１のユーザから、一又は複数の調理工程を含む調理手順を表す手順コンテンツの投稿を受け付けさせ、
第２のユーザから、キッチンを使用する要求を受け付けさせ、
前記要求に基づいて、前記キッチンの使用の際に認証させ、
前記手順コンテンツと、前記認証の識別情報とを対応付けさせる
処理を実行させる、プログラム。
【手続補正２】
【補正対象書類名】明細書
【補正対象項目名】０００６
【補正方法】変更
【補正の内容】
【０００６】
上記の課題を解決するため、本発明の一態様の情報処理システムは、キッチンの使用の際に前記キッチンにおいて調理を実演するユーザに対して認証をした結果に基づく認証の識別情報と、前記キッチンにおいてユーザが実演した調理に関連する情報であって、前記ユーザの操作に基づいて投稿された投稿情報とを対応付ける情報処理部を備える、情報処理システムである。
【手続補正３】
【補正対象書類名】明細書
【補正対象項目名】０００７
【補正方法】変更
【補正の内容】
【０００７】
本発明の一態様は、投稿情報を受信する受信部と、キッチンの使用の際に前記キッチンにおいて調理を実演するユーザに対して認証をした結果に基づく認証の識別情報と、前記キッチンにおいてユーザが実演した調理に関連する情報であって、前記ユーザの操作に基づいて投稿された前記投稿情報とを対応付ける情報処理部と、を備える、情報処理装置である。
【手続補正４】
【補正対象書類名】明細書
【補正対象項目名】０００９
【補正方法】変更
【補正の内容】
【０００９】
本発明の一態様は、コンピュータを、キッチンの使用の際に前記キッチンにおいて調理を実演するユーザに対して認証をした結果に基づく認証の識別情報と、前記キッチンにおいてユーザが実演した調理に関連する情報であって、前記ユーザの操作に基づいて投稿された投稿情報とを対応付ける情報処理部として機能させる、プログラムである。
【手続補正５】
【補正対象書類名】明細書
【補正対象項目名】００７１
【補正方法】変更
【補正の内容】
【００７１】
（１）キッチンの使用の際に前記キッチンにおいて調理を実演するユーザに対して認証をした結果に基づく認証の識別情報と、前記キッチンにおいてユーザが実演した調理に関連する情報であって、前記ユーザの操作に基づいて投稿された投稿情報とを対応付ける情報処理部を備える、情報処理システム。
【手続補正６】
【補正対象書類名】明細書
【補正対象項目名】００８２
【補正方法】変更
【補正の内容】
【００８２】
（１２）前記認証された前記ユーザと前記投稿情報を投稿したユーザとが同一人物であり、
前記情報処理部は、前記投稿情報を投稿したユーザの投稿要求に基づいて、前記認証の識別情報に対応付けられた前記手順コンテンツに、前記動画情報を対応付ける、（１）または（７）に記載の情報処理システム。
【手続補正７】
【補正対象書類名】明細書
【補正対象項目名】００８３
【補正方法】変更
【補正の内容】
【００８３】
（１３）前記認証された前記のユーザと前記投稿情報を投稿したユーザとが異なる人物であり、前記情報処理部は、前記投稿情報を投稿したユーザの投稿要求に基づいて、前記ユーザ認証の識別情報に対応付けられた前記手順コンテンツに、前記動画コンテンツを対応付ける、（１）または（７）に記載の情報処理システム。
【手続補正８】
【補正対象書類名】明細書
【補正対象項目名】００８４
【補正方法】変更
【補正の内容】
【００８４】
（１４）投稿情報を受信する受信部と、キッチンの使用の際に前記キッチンにおいて調理を実演するユーザに対して認証をした結果に基づく認証の識別情報と、前記キッチンにおいてユーザが実演した調理に関連する情報であって、前記ユーザの操作に基づいて投稿された前記投稿情報とを対応付ける情報処理部と、を備える、情報処理装置。
【手続補正９】
【補正対象書類名】明細書
【補正対象項目名】００８６
【補正方法】変更
【補正の内容】
【００８６】
（１６）コンピュータを、キッチンの使用の際に前記キッチンにおいて調理を実演するユーザに対して認証をした結果に基づく認証の識別情報と、前記キッチンにおいてユーザが実演した調理に関連する情報であって、前記ユーザの操作に基づいて投稿された投稿情報とを対応付ける情報処理部として機能させる、プログラム。